(57)【要約】【課題】  その目的は、安価に装置内部の温度を検出する仕組みを構築することができるとともに、装置内部の温度を正確に検出することができる内部温度検出装置を提供すること。【解決手段】  熱を発する素子を有するメイン基板２上に設けられ、基板が配置された装置内部の温度を検出する温度検出手段であるサーミスタセンサ１４と、メイン基板２の電源ＯＮからの時間を計時する計時手段と、計時手段で計時された時間に基づいて、センサで検出される温度を例えば、温度補正テーブルを用いて補正する温度補正手段とを具備する。【選択図】図２
2006184129.tif 000002
【特許請求の範囲】
【請求項１】
熱を発する素子を有する基板上に設けられ、前記基板が配置された装置内部の温度を検出する温度検出手段と、
前記基板の電源ＯＮからの時間を計時する計時手段と、
前記計時手段で計時された時間に基づいて、前記温度検出手段で検出される温度を補正する温度補正手段とを具備することを特徴とする内部温度検出装置。
【請求項２】
前記装置は、内部に設けられた駆動部を駆動させるために、前記装置内の温度が低くなるとトルクが小さくなるモータを有し、
前記温度補正手段で補正した温度に基づいて、前記モータの回転速度をトルクが大きくなるように制御するトルク制御手段を具備することを特徴とする請求項１記載の内部温度検出装置。
【発明の詳細な説明】
【技術分野】
【０００１】
本発明は、装置内の温度を検出する内部温度検出装置に関する。
【背景技術】
【０００２】
例えば、ＰＯＳ端末に用いられるレシートプリンタ装置に搭載されるレシート搬送部のモータは、低温ではトルクが小さくなり、レシートが搬送できなくなる場合がある。このため、低温時には、トルクを大きくするようにモータの回転速度を遅くする必要がある。具体的には、レシートプリンタ装置の動作保証温度が５℃以上であるにもかかわらず、電源投入時の温度が５℃より低い温度であった場合に、直ちに印字を行おうとしても用紙が搬送されないことがある。
【０００３】
このようにレシートプリンタ装置の内部の温度に応じてモータのトルクを変化させるためにレシートプリンタ装置の内部の温度を検出する必要がある。この内部の温度を検出するために、内部温度検出用のセンサを装置内に設けた内部温度検出装置が知られている。この内部温度検出装置は、センサとコネクタを専用の基板に設け、この専用の基板とＣＰＵ、メモリ、コネクタ等が配設されたメイン基板とをハーネスで結線して接続し、内部の温度を検出するように構成している。
【０００４】
上述のような専用の基板を用いない場合は、メイン基板にセンサを直接半田づけすることになる。
【０００５】
なお、装置内にセンサを設け、サーマルヘッドの印字中の印加電圧値を検出する技術が知られている（例えば、特許文献１参照）。
【特許文献１】特開２０００−３２６５３９号公報
【発明の開示】
【発明が解決しようとする課題】
【０００６】
しかしながら、メイン基板とは別にセンサ用の専用の基板を設けると、コストが高くなるという問題がある。
【０００７】
また、内部温度検出用のセンサをメイン基板に直接半田づけするように構成すると、メイン基板のＣＰＵ、メモリ等から発せられる熱がメイン基板を経由してセンサに伝わり、装置の正確な内部温度が検出できないという問題がある。これを回避するために、リードタイプのセンサをメイン基板から浮かして使用することも考えられるが、実装する工程が多くなり、コスト高につながってしまう。
【０００８】
本発明は上記問題に鑑みてなされたものであって、その目的は、安価に装置内部の温度を検出する仕組みを構築することができるとともに、装置内部の温度を正確に検出することができる内部温度検出装置を提供することにある。
【課題を解決するための手段】
【０００９】
本発明は、熱を発する素子を有する基板上に設けられ、基板が配置された装置内部の温度を検出する温度検出手段であるセンサと、基板の電源ＯＮからの時間を計時する計時手段と、計時手段で計時された時間に基づいて、センサで検出される温度を例えば、温度補正テーブルを用いて補正する温度補正手段とを具備するものである。
【発明の効果】
【００１０】
本発明によると、安価に装置内部の温度を検出する仕組みを構築することができるとともに、装置内部の温度を正確に検出することができる内部温度検出装置を提供できる。
【発明を実施するための最良の形態】
【００１１】
以下、本発明の一実施の形態について図面を参照して説明する。  
図１は、レシートプリンタ装置１の内部構成の要部を概略的に示す図である。
【００１２】
レシートプリンタ装置１には、メイン基板２、サーマルヘッド３、レシート搬送部４が設けられている。メイン基板２はレシートプリンタ装置１内部の所定位置に固定的に配置されており、レシートプリンタ装置１内に設けられたサーマルヘッド３、モータ５等を制御する制御部が設けられている。サーマルヘッド３は、例えば、レシートプリンタ装置１がＰＯＳに搭載された場合には、ＰＯＳ本体から送られる印字データに基づいて印字を行う。レシート搬送部４は、モータ５を駆動源として、例えば、レシートである用紙をサーマルヘッド３で印字可能な位置まで搬送する。
【００１３】
図２は、メイン基板２の制御部の構成を概略的に示す図である。メイン基板２には、熱を発する素子であるＣＰＵ１１、メモリ１２、発振器１３が搭載されているとともに面実装品のサーミスタセンサ１４（温度検出手段）が実装されている。また、ＣＰＵ１１、メモリ１２、発振器１３はバスラインを介して接続されている。
【００１４】
ＣＰＵ１１は中央処理装置であり、メモリ１２はＣＰＵ１１が実行する制御プログラムや図３及び図４を参照して後述する温度補正テーブルＴ等の各種データを記憶する。また、発振器１３は、所定の基準クロックをＣＰＵ１１やメモリ１２に供給する。サーミスタセンサ１４は、レシートプリンタ装置１内部の温度を検出し、検出した温度情報をＣＰＵ１１へ送信する。
【００１５】
図３は、サーミスタセンサ１４で検出した温度、外部の環境温度、レシートプリンタ装置１の内部温度（内気温度）との関係を示す図である。図３において、縦軸は温度を示し、横軸はメイン基板２の電源ＯＮからの時間経過を示し、また、サーミスタセンサ１４で検出した検出温度をＴ１、外部の環境温度をＴ２、レシートプリンタ装置１の内部温度をＴ３で示している。なお、メイン基板２は、レシートプリンタ装置１の電源スイッチがＯＮされると、電源が供給され電源ＯＮとなる。
【００１６】
メイン基板２の電源ＯＮの時点では、内部温度Ｔ３と検出温度Ｔ１は等しい。しかしながら、時間が経過していくと環境温度Ｔ２は一定であるが、検出温度Ｔ１と内部温度Ｔ３は上昇し、検出温度Ｔ１は内部温度Ｔ３よりも上昇が激しくなる。これは、検出温度Ｔ１が、サーミスタセンサ１４がＣＰＵ１１、メモリ１２が発振器１３からクロックが供給されて動作しているためメイン基板２が暖められ、その影響を受けるからである。
【００１７】
このように検出される検出温度Ｔ１と内部温度Ｔ３との関係から図４で示す温度補正テーブルＴが求められる。温度補正テーブルＴは、経過時間に対してサーミスタセンサ１４で検出された検出温度Ｔ１を補正内部温度Ｔ４に補正するためのテーブルである。
【００１８】
図４に示すように、メイン基板２の電源ＯＮ時からの時間経過に応じて、サーミスタセンサ１４で検出した検出温度Ｔ１から内部温度Ｔ３よりも上昇した分を差し引くための補正温度が設定されている。具体的には、温度補正テーブルＴには、経過時間が、電源ＯＮ時（すなわち、０分）から１０分まで、１０分から２０分まで、２０分から３０分まで、３０分以上の４つの時間区分に区分されており、その時間区分に対応して補正温度が１℃、２℃、３℃、４℃と設定されている。なお、これらの時間区分や補正温度は、試験を行った結果に基づいて定められるものである。
【００１９】
次に、ＣＰＵ１１がサーミスタセンサ１４で検出した検出温度Ｔ１を温度補正テーブルＴに設定された補正温度を用いて補正し、補正内部温度Ｔ４を求める処理について説明する。
【００２０】
ＣＰＵ１１は、メイン基板２の電源ＯＮを検出するとメモリ１２等を用いて時間の計時を開始する（計時手段）。そして、ＣＰＵ１１は計時を開始して１０分まではサーミスタセンサ１４で検出した検出温度Ｔ１から１℃差し引き補正内部温度Ｔ４を検出し、１０分が経過して２０分まではサーミスタセンサ１４で検出した検出温度Ｔ１から２℃差し引き補正内部温度Ｔ４を検出し、２０分が経過して３０分まではサーミスタセンサ１４で検出した検出温度Ｔ１から３℃差し引き補正内部温度Ｔ４を検出し、３０分以上経過したときはサーミスタセンサ１４で検出した検出温度Ｔ１から４℃差し引き補正内部温度Ｔ４を検出する（温度補正手段）。
【００２１】
続いて、ＣＰＵが補正内部温度Ｔ４を用いてモータ５のトルクを制御する処理について説明する。
【００２２】
例えば、レシートプリンタ装置１の動作保証温度が５℃以上である場合に、レシートプリンタ装置１の接地場所や季節等により内部温度が５℃以下になってしまうことがある。この場合は、モータ５のトルクが小さくなり、レシート用紙が搬送できなくなる場合がある。そこで、ＣＰＵ１１は、補正した補正内部温度Ｔ４が５℃より小さい場合には、補正内部温度Ｔ４に応じてモータ５の回転速度を通常（動作保証がされている５℃以上のときに設定されている回転速度）より遅くする（トルク制御手段）。
【００２３】
このように構成されたレシートプリンタ装置１に電源が投入されたときの動作について説明する。
【００２４】
メイン基板２に面実装されたサーミスタセンサ１４が検出した検出温度Ｔ１から、電源ＯＮ時から経過した時間に応じて温度補正テーブルＴに設定された補正温度を差し引き補正内部温度Ｔ４が検出される。具体的には、例えば、サーミスタセンサ１４で５℃が検出されたならば、電源ＯＮ時から１０分以内であるときは、５℃から補正温度として１℃を差し引き４℃が補正内部温度Ｔ４として検出される。レシートプリンタ装置１の動作保証温度が５℃以上である場合に、上述のように４℃が補正内部温度Ｔ４として求められた場合は、その補正内部温度４℃に応じてモータ５の回転速度を遅くしてトルクを大きくし、モータ５の動作保証温度以下でも、レシートをサーマルヘッド３で印字可能な位置まで直ちに搬送することができる。
【００２５】
したがって、レシートプリンタ装置１によると、メイン基板２に面実装されたサーミスタセンサ１４で温度を検出しても、電源ＯＮ時からの時間経過に応じてサーミスタセンサ１４で検出した温度を、温度補正テーブルＴに設定された補正温度を差し引き、補正内部温度Ｔ４を求めることにより、レシートプリンタ装置１の内部の温度を正確に求めることができる。
【００２６】
また、サーミスタセンサ１４は、メイン基板２に面実装されており、サーミスタセンサ１４専用の基板を用いなくても良いため、レシートプリンタ装置１内の温度を安価で検出する仕組みを構築することができる。
【００２７】
さらに、補正内部温度Ｔ４を求めることによりレシートプリンタ装置１の内の温度を正確に検出することができるため、補正内部温度Ｔ４がレシート搬送部４のモータ５の動作保証温度より低い温度であっても、その補正内部温度Ｔ４に応じてモータ５の回転速度を遅くしてトルクを大きくし、レシートをサーマルヘッド３で印字可能な位置へ直ちに搬送することができる。
【００２８】
なお、本発明は、上述した実施の形態そのままに限定されるものではなく、実施段階ではその要旨を逸脱しない範囲で構成要素を変形して具体化できるものである。
【図面の簡単な説明】
【００２９】
【図１】本発明の実施の形態におけるレシートプリンタ装置の内部構成の要部を概略的に示す図。
【図２】同実施の形態におけるメイン基板の制御部の構成を概略的に示す図。
【図３】同実施の形態における検出温度、環境温度、内部温度の関係を示す図。
【図４】同実施の形態における温度補正テーブルを示す図。
【符号の説明】
【００３０】
１…レシートプリンタ装置，２…メイン基板，３…サーマルヘッド，４…レシート搬送部，５…モータ，１１…ＣＰＵ，１２…メモリ，１３…発振器，１４…サーミスタセンサ，Ｔ…温度補正テーブル，Ｔ１…検出温度，Ｔ２…環境温度，Ｔ３…内部温度，Ｔ４…補正内部温度
【図１】
2006184129.tif 000003
【図２】
2006184129.tif 000004
【図３】
2006184129.tif 000005
【図４】
2006184129.tif 000006